(57)【要約】【課題】  限外濾過膜処理、触媒処理および電気分解処理とを組み合わせて、処理水中の有機化合物を二酸化炭素、水などの無機化合物まで効率よく分解処理することができる水処理方法とその装置を提供する。【解決手段】  有機化合物を含む処理水をＵＦ膜５を用いて、該ＵＦ膜５を通過した有機化合物を含む通過処理水と、該ＵＦ膜５を通過できない有機化合物を含む濃縮処理水とに分離する。前記通過処理水中の有機化合物を触媒１１ａ、１２ａ、１３ａを用いて分解する。一方、前記濃縮処理水中の有機化合物は、電気分解槽２６によって電気分解する。電気分解槽２６で発生するジュール熱を利用して、熱交換手段３１で通過処理水に該ジュール熱を伝熱することで通過処理水を昇温させることでき、触媒反応をより効果的にする。【選択図】  図１
2005138040.tif 000002
【特許請求の範囲】
【請求項１】
有機化合物を含む処理水を限外濾過膜（ＵＦ膜）によって、該限外濾過膜（ＵＦ膜）を通過した通過処理水と、該限外濾過膜（ＵＦ膜）を通過しない濃縮処理水とに分離し、前記通過処理水に含まれる有機化合物を触媒により分解するとともに、前記濃縮処理水に含まれる有機化合物を電気分解することを特徴とする水処理方法。
【請求項２】
前記処理水は有機化合物の一部として有機性ＳＳを含んでおり、前記限外濾過膜（ＵＦ膜）では、前記処理水に含まれる有機ＳＳを通過させることなく前記濃縮処理水側に分離することを特徴とする請求項１記載の水処理方法。
【請求項３】
前記電気分解で発生するジュール熱によって前記通過処理水を予熱した後、該通過処理水を触媒により分解することを特徴とする請求項１または２に記載の水処理方法。
【請求項４】
有機化合物を含む処理水を、膜を通過する通過処理水と膜を通過しない濃縮処理水とに分離する限外濾過膜（ＵＦ膜）と、前記通過処理水に含まれる有機化合物を分解する触媒と、陽極となる電極と陰極となる電極を有し、該電極への通電によって前記濃縮処理水に含まれる有機化合物を電気分解する電解反応槽とを備えることを特徴とする水処理装置。
【請求項５】
前記触媒は、酸化物担体、過酸化物担体または水酸化物担体に、遷移金属、ＩＢ族金属、IIＢ族金属またはこれらの複合物を担持させた触媒であることを特徴とする請求項５記載の水処理装置。
【請求項６】
前記電気分解反応槽で発生するジュール熱によって昇温した処理水と、前記触媒の上流側にある通過処理水との間で熱交換を行う熱交換手段を備えることを特徴とする請求項４または５に記載の水処理装置。
【請求項７】
前記電解反応槽に備える陽極となる電極と陰極となる電極の一方または両方がダイヤモンド電極であることを特徴とする請求項５または６に記載の水処理装置。
【請求項８】
前記電解反応槽での有機物電気分解量と前記電極の電解有効面積との比が、３０ｍｇ−ＴＯＣ／（ｈ・ｃｍ２）以下であることを特徴とする請求項４〜７のいずれかに記載の水処理装置。
【発明の詳細な説明】
【技術分野】
【０００１】
本発明は、有機化合物を含有する処理水の水処理に関し、特に、限外濾過膜（以下、単にＵＦ膜という）処理、触媒処理および電気分解処理とを組み合わせて、有機化合物を二酸化炭素、水などの無機化合物にまで分解処理する水処理方法とその装置に関するものである。
【背景技術】
【０００２】
従来、有機化合物を含有する排水の水処理方法として、電気分解処理や触媒処理などの方法が知られている。電気分解処理は、白金などからなる電極を排水中に浸漬して通電することによって排水中の有機化合物を分解するものである。最近、この電気分解処理において、白金などの従来の電極に替わり導電性ダイヤモンド電極が注目されている。導電性ダイヤモンド電極は、電流密度を高くできることと、ヒドロキシラジカルの発生を利用した強力な酸化分解力を持っており、排水に含まれる有機性浮遊物質（以下有機性ＳＳという）の分解も可能である（例えば特許文献１、２）。
また、フェノールなどの有機化合物を含有する処理水の水処理方法として、ゼオライトなどの酸化物固体担体表面にＰｔなどの貴金属や、Ｎｉ、Ｃｏ、Ｃｕなどの金属を担持させた触媒を用い、該触媒の作用によって有機化合物を分解する触媒処理方法が報告されている（例えば特許文献３、４）。
【特許文献１】特開平７−２９９４６７号公報
【特許文献２】米国特許第５３９９２４７号明細書
【特許文献３】特開２００３−１６４８８９号公報
【特許文献４】特開２００３−０１０６８７号公報
【発明の開示】
【発明が解決しようとする課題】
【０００３】
しかし、前記導電性ダイヤモンド電極を用いた電気分解処理において、現状では、大型（例えば３０ｃｍ×３０ｃｍ程度）の導電性ダイヤモンド電極を製造することは困難であり、比較的小型のダイヤモンド電極を複数枚組み合わせて使用することになる。このため、有機化合物を含む大量の処理水を導電性ダイヤモンド電極によって電気分解処理しようとすると、電極枚数が極端に多くなり、電極費が莫大になるので工業的に実施することが困難となるという問題がある。また、排水中の有機化合物濃度が低下すると電流効率の低下を招き、わずかな有機化合物を分解するのに大量のダイヤモンド電極を必要とするという問題がある。
【０００４】
また、前記触媒処理では、有機性ＳＳを含む排水を処理する際に、該有機性ＳＳと接触すると触媒表面が被毒されて触媒の活性が大幅に低下するという問題がある。
【０００５】
本発明は、上記事情を背景としてなされたものであり、ＵＦ膜処理、触媒処理および電気分解処理とを組み合わせて、処理水中の有機化合物を二酸化炭素、水などの無機化合物にまで効率よく分解処理することができる水処理方法とその装置を提供することを目的とするものである。
【課題を解決するための手段】
【０００６】
上記課題を解決するため本発明の水処理方法のうち請求項１記載の発明は、有機化合物を含む処理水をＵＦ膜によって、該ＵＦ膜を通過した通過処理水と、該ＵＦ膜を通過しない濃縮処理水とに分離し、前記通過処理水に含まれる有機化合物を触媒により分解するとともに、前記濃縮処理水に含まれる有機化合物を電気分解することを特徴とする。
【０００７】
請求項２記載の水処理方法の発明は、請求項１記載の発明において、前記処理水が有機化合物の一部として有機性ＳＳを含んでおり、前記ＵＦ膜では、前記処理水に含まれる有機ＳＳを前記濃縮処理水側に分離することを特徴とする。
【０００８】
請求項３記載の水処理方法の発明は、請求項１または２に記載の発明において、前記電気分解で発生するジュール熱によって前記通過処理水を予熱した後、該通過処理水を触媒により分解することを特徴とする。
【０００９】
請求項４記載の水処理装置の発明は、有機化合物を含む処理水を、膜を通過する通過処理水と膜を通過しない濃縮処理水とに分離するＵＦ膜と、前記通過処理水に含まれる有機化合物を分解する触媒と、陽極となる電極と陰極となる電極を有し、該電極への通電によって前記濃縮処理水に含まれる有機化合物を電気分解する電解反応槽とを備えることを特徴とする。
【００１０】
請求項５記載の水処理装置の発明は、請求項４記載の発明において、前記触媒が、酸化物担体、過酸化物担体または水酸化物担体に、遷移金属、ＩＢ族金属、IIＢ族金属またはこれらの複合物を担持させた触媒であることを特徴とする。
【００１１】
請求項６記載の水処理装置の発明は、請求項４または５に記載の発明において、前記電気分解反応槽で発生するジュール熱によって昇温した処理水と、前記触媒の上流側にある通過処理水との間で熱交換を行う熱交換手段を備えることを特徴とする。
【００１２】
請求項７記載の水処理装置の発明は、請求項４〜６のいずれかに記載の発明において、前記電解反応槽に備える陽極となる電極と陰極となる電極の一方または両方がダイヤモンド電極であることを特徴とする。
【００１３】
請求項８記載の水処理装置の発明は、請求項４〜７のいずれかに記載の発明において、前記電解反応槽での有機物電気分解量と前記電極の電解有効面積との比が、３０ｍｇ−ＴＯＣ／（ｈ・ｃｍ２）以下であることを特徴とする。
【００１４】
すなわち、本発明によれば、有機化合物を含有する処理水をＵＦ膜を通過できる有機化合物を含む通過処理水と、該ＵＦ膜を通過できない有機化合物を含む濃縮処理水とに分離できるので、有機性ＳＳなどの比較的サイズの大きな有機化合物を排除して触媒に導入することができ、触媒の活性を低下させることなく処理水を効率的に二酸化炭素、水などの無機化合物まで分解処理することができる。一方、有機性ＳＳなどの比較的サイズの大きな有機化合物は濃縮されて電気分解処理に供され、良好な電流効率によって有機化合物を二酸化炭素、水などの無機化合物まで効率よく分解することができる。また、電気分解処理では、前記通過処理水を触媒処理することにより処理水の全量を電気分解する必要がなく、電極枚数を大幅に減らすことができる。また、上記電気分解によって発生するジュール熱によって触媒の上流にある通過処理水を加熱することで触媒反応を促進することができる。
【００１５】
なお、本発明では、有機性物質を含有物質として含む種々の処理水を対象にして水処理を行うことができ、その種別は特に限定されるものではなく、例えば、工場排水、家庭排水などの処理に適用することができる。
上記のＵＦ膜には、適宜の大きさの透過孔を有する中空糸などの形状の多孔質材などを選択することができるが、例えば処理水に含まれる有機性ＳＳの大きさなどを考慮して、所望の有機性ＳＳを濃縮処理水側に分離できるものを採択する。
【００１６】
また、本発明で触媒処理に使用する触媒では、担体として通常酸化物を用い、ゼオライト、酸化チタンあるいはヒドロキシアパタイトなどを用いるのが望ましい。また、担体としては水酸化カルシウムなどの水酸化物であってもよく、さらに、過酸化カルシウムなどの過酸化物であってもよい。担持させる触媒材料としては、Ｐｔ、Ｒｈ、ＲｕなどのＶIII族に属する金属およびＶ（バナジウム）などの遷移金属や、ＣｕやＺｎなどのＩＢ族あるいはIIＢ族に属する金属を用いるのが望ましい。その他、水処理用触媒として、ゼオライト、ヒドロキシアパタイト、牛骨、マイカ、アルミナ、マグネシア、シリカ、シリカ−アルミナ、活性炭、ケイソウ土などのイオン交換能を有する無機多孔性物質の担体に、酸化ニッケルや酸化コバルトを担持させた触媒、あるいは、ゼオライトなどのアルミノシリケート化合物、アパタイト、ジルコニア、ジルコニウムりん酸酸化物（ＺｒＯ２、Ｐ２Ｏ５）、ジルコニウム酸塩、アルミナなどのイオン交換機能を有する無機多孔質担体に、コバルトと銅を担持させた触媒などを挙げることができる。
また、該触媒による有機化合物の分解処理を行う際には、次亜塩素酸ナトリウムなどの酸化剤を処理水に添加する。
【００１７】
さらに、触媒による分解処理時の処理水温度は、１０〜９５℃が適当であるが、この範囲では温度が高いほど処理効果が大きく、予熱により処理能力を向上させることができる。
い。本発明では、前記電気分解により熱（ジュール熱）が発生するので、この熱を触媒処理の上流側にある通過処理水に与えることにより予熱して、触媒による有機化合物の分解反応を促進することができる。熱を与える手段としては、電気分解処理によって加熱昇温した処理水の熱を伝熱面を介して前記通過処理水に与える熱交換手段を用いて行うことができる。
【００１８】
また、処理水中の有機物電気分解量と電極の電解有効面積の比を３０ｍｇ−ＴＯＣ／（ｈ・ｃｍ２）以下にすることが望ましい。ここで、有機物電気分解量とは、電気分解による単位時間当たりのＴＯＣ（全有機性炭素）分解量（ｍｇ−ＴＯＣ／ｈ）をいい、電解有効面積とは、電極において電気分解に有効な電極面積（ｃｍ２）をいう。なお、上記範囲を示すのは、３０ｍｇ−ＴＯＣ／（ｈ・ｃｍ２）を超えると効率的でないためである。
【００１９】
本発明で電気分解に使用する電極としては、従来の白金電極などを用いることもできるが、導電性ダイヤモンド電極を用いるのが望ましい。その場合、陽極、陰極の一方または両方に導電性ダイヤモンド電極を用いることができる。なお、電極は、陽極、陰極において、それぞれ単数枚または複数枚で構成することができる。
【００２０】
前記導電性ダイヤモンド電極としては、Ｎｂ、Ｔａ、Ｔｉ、Ｍｏ、Ｗ、Ｚｒ等の導電性金属材料を基盤とし、これらの基盤の表面に導電性ダイヤモンド薄膜を析出させたものや、シリコンウエハ等の半導体材料を基盤とし、このウエハ表面に導電性ダイヤモンド薄膜を合成させたもの、さらに、基盤を用いない条件で板状に析出合成した導電性多結晶ダイヤモンドを挙げることができる。また、導電性ダイヤモンドは必ずしも、結晶性を有するものである必要はなく、非晶質であってもよい。
【００２１】
なお、導電性ダイヤモンド薄膜は、ダイヤモンド薄膜の合成の際にボロン、窒素、リンあるいは硫黄の所定量をドープして導電性を付与したものであり、通常はボロンドープしたものが一般的である。これらのドープ量は、少なすぎると技術的意義が発生せず、多すぎてもドープ効果が飽和するため、ダイヤモンド薄膜の炭素量に対して、５０〜２０，０００ｐｐｍの範囲のものが適している。
【００２２】
本発明において、導電性ダイヤモンド電極は、通常は板状のものを使用するが、網目構造物を板状にしたものも使用できる。また、炭素粉末などにダイヤモンドをコーティングした粉末を電解液によって流動させて、流動床を構成することもできる。さらに、三次元構造の基質にダイヤモンド粉末を担持させ、高表面積を有する固定床を構成し、反応速度を大きくすることもできる。
【００２３】
導電性ダイヤモンド電極は、従来の白金等の金属電極に比べると、電位窓が極めて広く水の電気分解による水素発生や酸素発生を抑えながら目的の有機化合物のみを選択的に電気分解できる。また、有機性浮遊物質の電気分解処理についても優れている。
【００２４】
この導電性ダイヤモンド電極を用いて行う電気分解処理は、導電性ダイヤモンド電極表面の電流密度を１０〜１００，０００Ａ／ｍ２とし、処理水をダイヤモンド電極面と平行方向に、通液線速度を１０〜１０，０００ｍ／ｈで接触させることが望ましい。また、電解反応槽内の液温度は通常、１０〜９５℃で処理することが望ましい。
また、処理水の電気分解の際には、電解反応を促進するために電解質を添加してもよい。該電解質としては硫酸イオンを含んだ化合物が望ましく、電解質濃度としては、０．１Ｍから０．５Ｍ程度が適当である。
【発明の効果】
【００２５】
以上説明したように、本発明の水処理方法によれば、有機化合物を含む処理水をＵＦ膜を用いて、該ＵＦ膜を通過した通過処理水と、該ＵＦ膜を通過しない濃縮処理水とに分離し、前記通過処理水に含まれる有機化合物を触媒により分解するとともに、前記濃縮処理水に含まれる有機化合物を電気分解するので、処理水中の有機化合物を二酸化炭素、水などの無機化合物まで効率よく分解処理することができる。
また、処理水に有機性ＳＳを含む場合においても、ＵＦ膜で前記有機性ＳＳを濃縮処理水側に分離し、ＵＦ膜を通過した通過処理水側にはほとんど前記有機性ＳＳが含まれないようにできるため、触媒による分解処理時に、有機性ＳＳにより触媒表面が被毒されて活性が大幅に低下するのを防止することができる。
一方、ＵＦ膜で分離された濃縮処理水のみを電気分解処理するため、電流効率が向上し、有機性ＳＳを含む処理水であっても高効率で分解処理が行われる。また処理水の全量を電気分解する必要がないので、電気分解に必要な電極枚数を減らすことができ、電気分解装置の小型化と設備コストの低減を図ることができる。
また、本発明の水処理装置によれば、上記水処理方法を容易かつ確実に実行して上記効果を得ることができる。
【発明を実施するための最良の形態】
【００２６】
以下、本発明の水処理装置の一実施形態を図１に基づいて説明する。
有機化合物を含む処理水を導入して貯留する原水槽１を備えており、該源水槽１には、槽内の処理水を撹拌する撹拌装置２が備えられている。該源水槽１の排出側は、源水移送路３およびポンプ４を介して複数のＵＦ膜５…５を並列設置したＵＦ膜処理装置６に接続されている。該ＵＦ膜処理装置６には、ＵＦ膜５を通過した通過処理水を移送する通過処理水移送路１０と、ＵＦ膜５を通過しなかった濃縮処理水を移送する濃縮処理水移送路２０とが接続されている。なお、上記ＵＦ膜５は、処理水に含まれる有機性ＳＳが通過できず、微細な有機化合物は通過する透過性能を有するものとする。
【００２７】
前記通過処理水移送管１０は、熱交換器３１を介して多段に設置した触媒処理装置１１、１２、１３に接続されており、各触媒処理装置１１〜１３には、触媒１１ａ、１２ａ、１３ａが収容されている。最終段の触媒処理装置１３の排水側に処理済水移送路１３ｂが接続されている。また、上記通過処理水移送路１０および各触媒処理装置１１〜１３を連結する中間連結路１１ｂ、１２ｂでは、酸化剤添加装置１５によって各路を通過する処理水に酸化剤の添加を行うことができるように構成されている。酸化剤としては、次亜塩素酸ナトリウムを用いる。
【００２８】
上記触媒処理装置では、好適には、酸化物担体、過酸化物担体または水酸化物担体に、遷移金属、ＩＢ族金属、IIＢ族金属またはこれらの複合物を担持させたものを用いる。
なお、本実施形態では、触媒処理装置３台（１１、１２、１３）を直列に接続しているが、これは台数や接続方法を限定するものではなく、水処理条件により１台もしくは複数台を直列または／および並列に接続して設けることができる。
【００２９】
一方、濃縮処理水移送路２０は、電解貯留槽２１に接続されている、電解貯留槽２１には、槽内の処理水を撹拌する撹拌装置２２および電解貯留槽２１内に硫酸イオンを含んだ化合物を添加する電解質供給装置２３が備えられている。電解貯留槽２１の排出側は、送流路２４およびポンプ２５を介して電解反応槽２６の入水側に接続されている。電解反応槽２６には、陽極となる電極２６ａと、陰極となる電極２６ｂと、両電極間に位置するバイポーラ電極２６ｃとを備えており、電極２６ａ、２６ｂは図示しない通電装置に接続されている。好適にはこれら電極にはダイヤモンド電極を用い、少なくとも陽極および陰極の一方または両方はダイヤモンド電極によって構成する。なお、バイポーラ電極２６ｃの枚数は適宜数とすることができ、上記電極２６ａ、２６ｂ、２６ｃを１セットして電解反応槽２６に複数セット設けるようにしてもよい。なお、本発明としてはバイポーラ電極を有しないもので電解反応槽を構成することもできる。
電解反応装置２６の出水側には、出水路２７を介して三方弁２８が接続されており、三方弁の他の一つのポートには返流路２９が接続されており、返流路２９の他端側は、前記電解貯留槽２１に接続されている。
また、三方弁２８のさらに他の一つのポートには、電解処理水移送路３０が接続されている。電解処理水移送路３０の他端は、前記した熱交換器３１の熱媒導入部３１ａに接続されている。また、熱交換器３１の熱媒排出部３１ｂには、電解処理水排水路３２が接続されており、該電解処理水排水路３２は、前記処理済水移送路１３ｂに合流している。
【００３０】
次に、本発明の水処理装置の作用について説明する。
有機化合物を含有する処理水は、原水槽１内に導入され、攪拌装置２により適宜の撹拌処理が行われる。原水槽１内の処理水は、ポンプ４により原水移送路３を通りＵＦ膜処理装置６に送液され、ＵＦ膜５によって、該ＵＦ膜５を通過する有機化合物を含む通過処理水と、該ＵＦ膜５を通過できない有機化合物を含む濃縮処理水とに分離される。
【００３１】
前記通過処理水は、通過処理水移送路１０を通り、熱交換器３１内に導入される。この際に、通過処理水移送路１０では、酸化剤添加装置１５によって適宜量の酸化剤が通過処理水に添加される。熱交換器３１では、該通過処理水は、後述する電気分解処理によって昇温された処理水と熱交換されて昇温し、熱交換器３１から触媒処理装置１１に送液される。触媒処理装置１１では、前記添加された酸化剤と内部に充填された触媒とにより処理水中の有機化合物が酸化分解される。なお、通過処理水は、上記熱交換器３１によって昇温されていることにより酸化分解反応がより効果的に進行する。この処理により有機化合物濃度が低減した処理水は、さらに中間連結路１１ｂを通して触媒処理装置１２に送液され、その後、中間連結路１２ｂを通して触媒処理装置１３に送液される。この際には、中間連結路１１ｂおよび中間連結路１２ｂでそれぞれ酸化剤供給装置１５によって処理水に酸化剤が添加される。触媒処理装置１２、１３では、触媒処理装置１１と同様に、添加された酸化剤と内部に充填された触媒により処理水中の有機化合物がさらに酸化分解される。
前記処理により処理水中の有機化合物が十分に酸化分解された処理済水は、触媒処理装置１３から処理済水移送路１３ｂを通して系外に排水される。
上記のように触媒処理装置を直列に複数接続することにより順次有機化合物濃度を低減処理した処理済水を得ることができる。また、処理水量が多い場合には、触媒処理装置をさらに並列に接続して並列処理することも可能である。
【００３２】
一方、前記濃縮処理水は、濃縮処理水移送路２０を通り電解貯留槽２１に送液され、撹拌装置２２により適宜の撹拌処理が行われつつ、電解質供給装置２３により０．１〜０．５Ｍの濃度で電解質が添加される。電解貯留槽２１内の濃縮処理水は、ポンプ２５により送流路２４を通して電解反応槽２６に送液され、電解反応槽２６内を通過した後、送流路２７へと流れる。この際に、三方弁２８では、送流路２４と返流路２９とを開通させておくことにより上記濃縮処理水は、送流路２４から、三方弁２８、返流路１９を通って貯留槽２１に返流される。これを繰り返すことで、貯留槽２１と電解反応槽２６との間で処理水が循環する。この際に電解反応槽２６では、電極２６ａ、２６ｂに通電される。この通電によりバイポーラ電極２６ｃ…２６ｃにも電位が生じ、電極２６ａ、２６ｂ、２６ｃ相互の間を通過する上記処理水に含まれる有機化合物が電気分解される。この電気分解に際しては、ジュール熱が発生し、該熱によって処理水が次第に昇温する。なお、電解時の処理水の温度は１０〜９５℃とするのが望ましい。
【００３３】
前記電気分解処理により処理水の有機化合物濃度が所望量にまで低減したならば、三方弁２８を送流路２７と電解処理水移送路３０とが開通するように切り替える。これにより電解処理水が電解処理水移送路３０を通して熱交換部３１の熱媒導入部３１ａへ送液される。電解処理水は、熱交換部３１内で前記した通過処理水と熱交換して該通過処理水を例えば１０〜９５℃にまで予熱する。
熱交換器３１で熱交換に供された電解処理水は、電解処理水排水路３２を通して処理済水移送路１３ｂに合流させて処理済水として系外に排水される。
以上の動作を行うことにより、処理水中の有機化合物を二酸化炭素、水などの無機化合物まで効率よく分解処理することができる。
【実施例１】
【００３４】
以下に本発明の実施例について説明する。本実施例では、前記実施形態で説明した図１に示す水処理装置を用い、下記条件にて水処理を実施した。
電気分解処理に用いる電極としては、陽極、陰極ともボロンドープダイヤモンド電極を用い、ドープ量はダイヤモンド薄膜の炭素量に対して５，０００ｐｐｍのものを用いた。また、電極の電解有効面積は０．０１５ｍ２／枚として、電極枚数は陽極３６枚とし、電流密度０．２５Ａ／ｃｍ２、各電極間電圧１０Ｖとした。電解反応槽内の液温度は６０℃とし、処理水を電極面と平行に、通液線速度２，０００ｍ／ｈで接触させた。また、有機物電気分解量と電極面積との比は、３０ｍｇ−ＴＯＣ／（ｈ・ｃｍ２）とした。さらにまた、電解質として、硫酸ナトリウムを用い、処理水に添加する濃度は、０．１Ｍとした。
触媒処理に用いる触媒としては、ゼオライトからなる担体にＣｕとＣｏを担持したものを使用し、酸化剤には次亜塩素酸ナトリウムを使用した。
【００３５】
処理水としては、ＴＯＣ（全有機性炭素）濃度７００ｍｇ／Ｌの有機化合物を含む排水を用い、原水槽への流入流量１５ｍ３／ｄａｙ、流入温度２５℃で水処理を実施した。
上記条件で水処理をした結果、処理水のＴＯＣ濃度を７００ｍｇ／Ｌから２５ｍｇ／Ｌへ効率よく大幅に低減することができ、処理能力も継続した。
【図面の簡単な説明】
【００３６】
【図１】本発明の水処理装置の一実施形態を示す説明図である。
【符号の説明】
【００３７】
１    原水槽
５    ＵＦ膜
６    ＵＦ膜処理装置
１１、１２、１３  触媒処理装置
１１ａ、１２ａ、１３ａ  触媒
１５    酸化剤供給装置
２３    電解質供給装置
２６    電解反応槽
２６ａ  電極
２６ｂ  電極
２６ｃ  バイポーラ電極
３１    熱交換部
【図１】
2005138040.tif 000003